(57)【要約】【課題】温浴水の放射線量を把握して、放射線量を自動調整できるようにするとともに、ｐＨを自動調整をできるようにして、調整作業を容易にし、調整作業効率の向上を図る。【解決手段】  放射性物質を包含する鉱石Ｗの壊変生成物を溶解可能な酸性水溶液Ｌを収容する水槽１と、水槽１内で鉱石Ｗの粉粒体Ｗａが収納され酸性水溶液Ｌが流通可能な鉱石容器１０と、酸性水溶液Ｌを鉱石容器１０に流通させる流通手段２０とを備え、この酸性水溶液Ｌを温浴水Ｓとして排出するものにおいて、水槽１内の酸性水溶液Ｌの放射線量を測定する放射線量測定器４０と、放射線量測定器４０の測定結果に基づいて放射線量を調整する放射線量制御部５０と、水槽１内の酸性水溶液のｐＨを計測するｐＨ計測器６０と、ｐＨ計測器６０の測定結果に基づいてｐＨを制御するｐＨ制御部７０とを備えた。【選択図】  図１
2007117269.tif 000002
【特許請求の範囲】
【請求項１】
放射性物質を包含する鉱石の壊変生成物を溶解可能な酸性水溶液を収容する水槽と、該水槽内に設けられるとともに放射性物質を包含する鉱石の粉粒体が収納され上記酸性水溶液が流通可能な鉱石容器と、上記水槽内の酸性水溶液を上記鉱石容器に駆動させられて流通させる流通手段とを備え、上記鉱石の粉粒体に酸性水溶液を接触させて該鉱石の粉粒体の壊変生成物を該酸性水溶液に溶解させ該酸性水溶液を温浴水として排出する温浴水生成装置において、
上記水槽内の酸性水溶液の放射線量を測定する放射線量測定器を備えたことを特徴とする温浴水生成装置。
【請求項２】
上記放射線量測定器の測定結果に基づいて上記水槽内の温浴水の放射線量を所定の放射線量に調整する放射線量制御部を備えたことを特徴とする請求項１記載の温浴水生成装置。
【請求項３】
上記水槽内の温浴水が所定の放射線量範囲に満たないときは温浴水の排出を不能にし、該温浴水が所定の放射線量範囲になったときは温浴水の排出を許容するインターロック手段を備えたことを特徴とする請求項２記載の温浴水生成装置。
【請求項４】
上記放射線量制御部を、所定の放射線量を入力する入力手段と、該入力手段に入力された所定の放射線量を記憶する記憶手段と、上記放射線量測定器の測定値が上記記憶手段に記憶された所定の放射線量以上になったとき上記流通手段の駆動を停止し当該停止後に放射線量が低下したとき上記流通手段の駆動を行なわせる流通手段駆動制御手段とを備えて構成したことを特徴とする請求項２または３記載の温浴水生成装置。
【請求項５】
上記鉱石容器を、上下に酸性水溶液が通過可能な多孔壁を備えて構成し、該鉱石容器を上記酸性水溶液に浸漬されるように上記水槽内に設置し、上記流通手段を、上記酸性水溶液を上記鉱石容器の上側から吸引し該鉱石容器の下側に吐出する電動循環ポンプを備えて構成し、上記放射線量制御部の流通手段駆動制御手段を上記電動循環ポンプのオン，オフを行なう機能を備えて構成したことを特徴とする請求項４記載の温浴水生成装置。
【請求項６】
上記水槽内の酸性水溶液のｐＨを計測するｐＨ計測器と、該ｐＨ計測器の測定結果に基づいて上記水槽内のｐＨを所定のｐＨに制御するｐＨ制御部とを備えたことを特徴とする請求項１，２，３，４または５記載の温浴水生成装置。
【請求項７】
上記水槽に水を供給する水供給部と、上記水槽に駆動させられて酸を供給する酸供給部とを備え、上記ｐＨ制御部を、所定のｐＨ値を入力する入力手段と、該入力手段に入力された所定のｐＨ値を記憶する記憶手段と、上記ｐＨ計測器の計測値が上記記憶手段に記憶された所定のｐＨ値以下のとき上記酸供給部の駆動を停止し当該停止後にｐＨ値が上昇したとき上記酸供給部の駆動を行なわせる酸供給部駆動制御手段とを備えて構成したことを特徴とする請求項６記載の温浴水生成装置。
【発明の詳細な説明】
【技術分野】
【０００１】
本発明は、放射性物質を包含する鉱石の壊変生成物を酸性水溶液に溶解させることにより温浴水を生成する温浴水生成装置に関する。
【背景技術】
【０００２】
従来、この種の温浴水生成装置としては、例えば、特許文献１（特開２００１−３７８４４号公報）に記載されたものが知られている。
この温浴水生成装置は、図５に示すように、放射性物質を包含するモナズ石などの鉱石Ｗの壊変生成物を溶解可能な有機カルボン酸などの酸性水溶液Ｌを収容する水槽１００と、水槽１００内に設けられるとともに放射性物質を包含する鉱石Ｗの粉粒体Ｗａが収納され酸性水溶液Ｌが流通可能な鉱石容器１０１と、鉱石容器１０１の内部に配置され酸性水溶液Ｌを循環管路１０３を介して循環させて噴射するノズルを備えた撹拌器１０２とを備え、鉱石Ｗの粉粒体Ｗａに酸性水溶液Ｌを接触させて鉱石Ｗの粉粒体Ｗａの壊変生成物を酸性水溶液Ｌに溶解させこの酸性水溶液Ｌを温浴水Ｓとして排出管１０４から排出するものである。
【０００３】
酸性水溶液Ｌは、水溶液調整槽１１０において調整される。この水溶液調整槽１１０では、給水管１１１により温水が導入されるとともに供給口１１２から有機カルボン酸が供給され、両者を混合してｐＨ１．５〜３．５の有機カルボン酸水溶液が調整され、供給管路１１３を通して水槽１００に送られる。
また、排出管１０４から排出された温浴水Ｓは、温浴水調整槽１２０に貯留される。温浴水調整槽１２０においては、供給口１２１から冷水または温水が供給されるとともに、供給口１２２からペーハ調整剤が供給され、冷水または温水及びペーハ調整剤の添加により温度及びｐＨが調整され、温浴に適した温浴水Ｓに調整され、管路１２３から取り出されて例えば入浴に供される。
【０００４】
【特許文献１】特開２００１−３７８４４号公報
【発明の開示】
【発明が解決しようとする課題】
【０００５】
ところで、上記の従来の温浴水生成装置にあっては、撹拌器１０２により鉱石Ｗの粉粒体Ｗａに酸性水溶液Ｌを接触させることを行なっているので、接触頻度によって温浴水の放射線量が大きくなることがあって、その場合には、その事態を把握できないという欠点があった。また、放射線量が大きくなった場合の調整をすることができないという問題もあった。
更に、従来の装置においては、水溶液調整槽１１０において酸性水溶液ＬのｐＨ調整を行ない、更に、温浴水調整槽１２０においても生成された温浴水ＳのｐＨ調整を行なっているが、この水溶液調整槽１１０及び温浴水調整槽１２０の構造のものでは、人手で逐一ｐＨを測定し、人手でｐＨ調整を行なわなければならないことから、調整作業が煩雑になっているという問題があった。
【０００６】
本発明は上記の問題点に鑑みて為されたもので、先ず、温浴水の放射線量を把握できるようにし、放射線量が大きくなった場合の対応ができるようにすることを目的とする。そして、次に、その放射線量を調整できるようにすることを目的とする。
そしてまた、次に、ｐＨの自動調整をできるようにして、調整作業を容易にし、調整作業効率の向上を図った温浴水生成装置を提供することを目的とする。
【課題を解決するための手段】
【０００７】
このような目的を達成するため本発明の温浴水生成装置は、放射性物質を包含する鉱石の壊変生成物を溶解可能な酸性水溶液を収容する水槽と、該水槽内に設けられるとともに放射性物質を包含する鉱石の粉粒体が収納され上記酸性水溶液が流通可能な鉱石容器と、上記水槽内の酸性水溶液を上記鉱石容器に駆動させられて流通させる流通手段とを備え、上記鉱石の粉粒体に酸性水溶液を接触させて該鉱石の粉粒体の壊変生成物を該酸性水溶液に溶解させ該酸性水溶液を温浴水として排出する温浴水生成装置において、
上記水槽内の酸性水溶液の放射線量を測定する放射線量測定器を備えた構成としている。
【０００８】
これにより、水槽内においては、流通手段が駆動させられて、酸性水溶液が鉱石容器に流通させられ、鉱石容器内の鉱石の粉粒体に酸性水溶液が接触せしめられる。そして、鉱石の粉粒体の壊変生成物が酸性水溶液に溶解させられ、酸性水溶液が温浴水として生成される。この温浴水は、適宜排出されて例えば浴槽に供給され入浴の用に供される。この状態においては、放射線量測定器により、水槽内の酸性水溶液の放射線量が計測されており、放射線量を認知することができる。そのため、放射線量が適正な範囲になっているか否かを把握することができ、例えば、放射線量が適正量よりも多くなっているような場合には、流通手段の駆動を停止し、鉱石の壊変生成物の酸性水溶液に対する溶解を抑制するなどの対応をとることができるようになる。
【０００９】
そして、必要に応じ、上記放射線量測定器の測定結果に基づいて上記水槽内の温浴水の放射線量を所定の放射線量に調整する放射線量制御部を備えた構成としている。
これにより、放射線量制御部が放射線量測定器の測定結果に基づいて水槽内の放射線量を所定の放射線量に制御する。そのため、放射線量が自動調整され、調整作業が容易になり、調整作業効率が向上させられる。
【００１０】
また、必要に応じ、上記水槽内の温浴水が所定の放射線量範囲に満たないときは温浴水の排出を不能にし、該温浴水が所定の放射線量範囲になったときは温浴水の排出を許容するインターロック手段を備えた構成としている。そのため、所定の放射線量の温浴水が排出されるので、適正な放射線量の温浴水を確実に提供できるようになる。
【００１１】
更に、必要に応じ、上記放射線量制御部を、所定の放射線量を入力する入力手段と、該入力手段に入力された所定の放射線量を記憶する記憶手段と、上記放射線量測定器の測定値が上記記憶手段に記憶された所定の放射線量以上になったとき上記流通手段の駆動を停止し当該停止後に放射線量が低下したとき上記流通手段の駆動を行なわせる流通手段駆動制御手段とを備えて構成している。
これにより、放射線量制御部の流通手段駆動制御手段において、放射線量測定器の計測値が記憶手段に記憶された所定の放射線量以上のとき流通手段の駆動を停止し、この駆動停止後、放射線量が低下して例えば下限に設定した放射線量を超えたとき流通手段の駆動を行なわせる。そのため、確実に放射線量を適正範囲内に維持することができるようになる。
【００１２】
更にまた、必要に応じ、上記鉱石容器を、上下に酸性水溶液が通過可能な多孔壁を備えて構成し、該鉱石容器を上記酸性水溶液に浸漬されるように上記水槽内に設置し、上記流通手段を、上記酸性水溶液を上記鉱石容器の上側から吸引し該鉱石容器の下側に吐出する電動循環ポンプを備えて構成し、上記放射線量制御部の流通手段駆動制御手段を上記電動循環ポンプのオン，オフを行なう機能を備えて構成している。
これにより、循環ポンプは、水槽内の酸性水溶液を鉱石容器の上側から吸引し、鉱石容器の下側に吐出する。この過程で、鉱石容器内の鉱石の粉粒体に酸性水溶液が接触せしめられ、鉱石の粉粒体の壊変生成物が酸性水溶液に溶解させられ、酸性水溶液が温浴水として生成される。この場合、鉱石が鉱石容器の容量よりも少ない例えば約３分の１程度の容量である場合には、鉱石が鉱石容器内で撹拌させられて移動するので、酸性水溶液の鉱石に対する接触効率が向上させられ、比較的短持間に、鉱石の粉粒体の壊変生成物が酸性水溶液に溶解させられ、所望の温浴水に生成される。
【００１３】
また、必要に応じ、上記水槽内の酸性水溶液のｐＨを計測するｐＨ計測器と、該ｐＨ計測器の測定結果に基づいて上記水槽内のｐＨを所定のｐＨに制御するｐＨ制御部とを備えた構成としている。これにより、ｐＨ計測器により、水槽内の酸性水溶液のｐＨが計測されており、ｐＨ制御部がｐＨ計測器の測定結果に基づいて水槽内のｐＨを所定のｐＨに制御する。そのため、ｐＨが自動調整されるので、調整作業が容易になり、調整作業効率が向上させられる。
【００１４】
そして、必要に応じ、上記水槽に水を供給する水供給部と、上記水槽に駆動させられて酸を供給する酸供給部とを備え、上記ｐＨ制御部を、所定のｐＨ値を入力する入力手段と、該入力手段に入力された所定のｐＨ値を記憶する記憶手段と、上記ｐＨ計測器の計測値が上記記憶手段に記憶された所定のｐＨ値以下のとき上記酸供給部の駆動を停止し当該停止後にｐＨ値が上昇したとき上記酸供給部の駆動を行なわせる酸供給部駆動制御手段とを備えて構成している。
これにより、ｐＨ制御部の酸供給部駆動制御手段において、ｐＨ計測器の計測値が記憶手段に記憶された所定のｐＨ値以下のとき酸供給部の駆動を停止し、この駆動停止後、ｐＨ値が上昇して例えば上限のｐＨ値を超えたとき酸供給部の駆動を行なわせる。そのため、確実にｐＨ値を適正範囲内に維持することができるようになる。
【発明の効果】
【００１５】
本発明の温浴水生成装置によれば、水槽内の酸性水溶液の放射線量を測定する放射線量測定器を備えたので、放射線量を認知することができ、放射線量が適正な範囲になっているか否かを把握することができる。そのため、例えば、放射線量が適正量よりも多くなっているような場合には、流通手段の駆動を停止し、鉱石の壊変生成物の酸性水溶液に対する溶解を抑制するなどの対応をとることができるようになる。
また、放射線量測定器の測定結果に基づいて水槽内の温浴水の放射線量を所定の放射線量に調整する放射線量制御部を備えた場合には、放射線量が自動調整され、調整作業が容易になり、調整作業効率を向上させることができる。
更に、ｐＨ計測器の測定結果に基づいて水槽内のｐＨを所定のｐＨに制御するｐＨ制御部を備えた場合には、ｐＨが自動調整されるので、調整作業が容易になり、調整作業効率を向上させることができる。
【発明を実施するための最良の形態】
【００１６】
以下、添付図面に基づいて本発明の実施の形態に係る温浴水生成装置について詳細に説明する。
図１に示すように、本発明の実施の形態に係る温浴水生成装置は、トロン，ラドン等の放射性物質を包含する鉱石Ｗの壊変生成物（トロン，ラドン等）を酸性水溶液Ｌに溶解させ、この酸性水溶液Ｌを温浴水Ｓとして排出するものである。鉱石Ｗとしては、例えば、モズナ石，ジルコニウム鉱石など周知のものが用いられる。また、酸性水溶液Ｌを構成する酸としては、例えば、クエン酸，アミノ酸等の有機カルボン酸等適宜の酸が用いられる。
【００１７】
実施の形態に係る温浴水生成装置において、１は水槽であって、放射性物質を包含する鉱石Ｗの壊変生成物を溶解可能な酸及び水が供給され、酸及び水が混合した酸性水溶液Ｌを収容するものである。
【００１８】
２は水槽１に水を供給する水供給部である。水供給部２は、水として温水を供給するもので、５℃〜３０℃程度の水と９０℃〜１００℃程度の湯とを混合する混合器３と、混合器３を開閉して温水を水槽１に供給する開閉バルブ４とを備えている。開閉バルブ４は、水槽１に設けた水位の上限を検知する例えばフロート５と連動しており、フロート５が水位の上限を検知すると混合器３を閉にし、フロート５が水位の上限を検知しないときは混合器３を開にし、常時水槽１に所定量の水が満たされるようにしている。
【００１９】
６は水槽１に酸を駆動されて供給する酸供給部６であり、液体の酸の原液を貯留するタンク７と、該タンク内の酸の原液を水槽１に吸引吐出する電動供給ポンプ８とを備えている。
【００２０】
１０は鉱石容器であって、水槽１内に設けられるとともに放射性物質を包含する鉱石Ｗの粉粒体Ｗａが収納され酸性水溶液Ｌが流通可能に構成されている。詳しくは、図２に示すように、鉱石容器１０は、盆状の一対の網状体１１を内部が中空になるように網状体１１の外周に設けたフランジ１２同士を接合して形成される本体１３と、本体１３の網状体１１に付設され鉱石Ｗを囲繞するフェルト１４とを備えている。本体１３は網状体１１を二重にして形成されており、フェルト１４はこの二重の網状体１１に挾持されて保持される。これにより、鉱石容器１０は、網状体１１及びフェルト１４により、上下に酸性水溶液Ｌが通過可能な多孔壁１５を備えて構成される。フェルト１４の穴径は０．２ｍｍ〜０．４ｍｍ程度である。そして、粒径が０．５ｍｍ〜１ｍｍの鉱石Ｗの粉粒体Ｗａが、鉱石容器１０内に収納される。鉱石Ｗは鉱石容器１０の容量の約３分の１程度の容量収納することが望ましい。鉱石容器１０は、そのフランジ１２において、水槽１に設けた取付け台１６部にボルト１７等により取付けられる。
【００２１】
２０は水槽１内の酸性水溶液Ｌを鉱石容器１０に駆動されて流通させる流通手段２０である。詳しくは、流通手段２０は、水槽１内の酸性水溶液Ｌを鉱石容器１０の上側から吸引し、鉱石容器１０の下側に吐出する電動循環ポンプ２１を備えて構成されている。２２は循環ポンプ２１に接続された吸引配管、２３は循環ポンプ２１に接続された吐出配管である。
【００２２】
３０は水槽１内で生成された温浴水Ｓを排出する電動排出ポンプである。排出ポンプ３０は、例えば、浴槽Ｂに温浴水Ｓを供給する。３１は排出ポンプ３０のオン，オフを制御する排出ポンプ制御盤、３２は浴槽Ｂ近傍に設けられ制御盤３１にオン，オフの指令信号を送出するとともに湯量を調整する手動の温浴水供給器である。
【００２３】
４０は水槽１内の酸性水溶液Ｌの放射線量を測定する放射線量測定器である。放射線量測定器４０は、例えば、ラドン量（マッヘ）を測定するものである。測定値は、モニタに表示され視認可能になっている。
【００２４】
５０は放射線量測定器４０の測定結果に基づいて水槽１内の温浴水Ｓの放射線量を所定の放射線量に調整する放射線量制御部である。詳しくは、放射線量制御部５０は、図３に示すように、マイクロコンピュータのＣＰＵなどの機能によって実現され、所定の放射線量を入力する入力手段５１と、入力手段５１に入力された所定の放射線量を記憶する記憶手段５２と、放射線量測定器４０の測定値が記憶手段５２に記憶された所定の放射線量以上になったとき流通手段２０の循環ポンプ２１の駆動を停止し当該停止後に放射線量が低下したとき流通手段２０の循環ポンプ２１の駆動を行なわせる流通手段駆動制御手段５３とを備えて構成されている。放射線量制御部５０の流通手段駆動制御手段５３は、電動循環ポンプ２１のオン，オフを行なう機能を備えて構成されている。所定の放射線量としては、例えば、２０〜３０マッヘに設定される。入力手段５１においては、例えば、放射線量の上限値及び下限値を設定し、上限値を所定の放射線量とし、下限値を、循環ポンプ２１の停止後に放射線量が低下したとき循環ポンプ２１の駆動を開始する際の値としている。
【００２５】
また、本装置は、水槽１内の温浴水Ｓが所定の放射線量範囲に満たないときは温浴水Ｓの排出を不能にし、温浴水Ｓが所定の放射線量範囲になったときは温浴水Ｓの排出を許容するインターロック手段５４を備えた構成としている。詳しくは、放射線量制御部５０からは、排出ポンプ制御盤３１に循環ポンプ２１のオン，オフ信号が送出される。排出ポンプ制御盤３１は、循環ポンプ２１のオン信号があったときは、排出ポンプ３０の駆動を不能にし、循環ポンプ２１のオフ信号があったときは、排出ポンプ３０の駆動を許容するインターロック機能を備えている。これにより、循環ポンプ２１の駆動している間であって温浴水Ｓが所定の放射線量範囲外の状態のときは温浴水供給器３２からのオン信号があっても排出ポンプ３０の駆動を不能にして温浴水Ｓが浴槽Ｂに供給されないようにし、循環ポンプ２１が停止している間であって温浴水Ｓが所定の放射線量範囲内の状態のときは排出ポンプ３０の駆動を許容して温浴水供給器３２からのオン信号により温浴水Ｓが浴槽Ｂに供給されるようにしている。
【００２６】
６０は水槽１内の酸性水溶液ＬのｐＨを計測するｐＨ計測器、７０はｐＨ計測器６０の測定結果に基づいて水槽１内のｐＨを所定のｐＨ（酸性度）に制御するｐＨ制御部である。ｐＨ制御部７０は、図４に示すように、マイクロコンピュータのＣＰＵなどの機能によって実現され、所定のｐＨ値を入力する入力手段７１と、入力手段７１に入力された所定のｐＨ値を記憶する記憶手段７２と、ｐＨ計測器６０の計測値が記憶手段７２に記憶された所定のｐＨ値以下のとき酸供給部６の駆動を停止し、当該停止後にｐＨ値が上昇したとき酸供給部６の駆動を行なわせる酸供給部駆動制御手段７３とを備えて構成されている。ｐＨ制御部７０の酸供給部駆動制御手段７３は、電動供給ポンプ８のオン，オフを行なう機能を備えて構成されている。所定のｐＨ値としては、例えば、ｐＨ＝４〜５に設定される。入力手段においては、例えば、ｐＨ値の上限値及び下限値を設定し、下限値を所定の放射線量とし、上限値を、電動供給ポンプ８の停止後にｐＨ値が上昇したとき電動ポンプの駆動を開始する際の値としている。
【００２７】
従って、この実施の形態に係る温浴水生成装置によれば、予め、放射線量制御部５０において、入力手段５１に所定の放射線量を入力し、記憶手段５２に記憶させておく。所定の放射線量としては、例えば、上限が３０マッヘ、下限が２０マッヘに設定される。また、ｐＨ制御部７０において、入力手段７１に所定のｐＨ値を入力し、記憶手段７２に記憶させておく。所定のｐＨ値としては、例えば、上限がｐＨ＝４、下限がｐＨ＝５に設定される。
【００２８】
そして、水槽１内には、水供給部２から、混合器３で水と湯とが混合されて例えば４５〜５５℃に湯温調整された水が供給され、フロート５の水位の上限検知により開閉バルブ４が開閉させられて、常時所定量の水が満たされる。また、酸供給部６の電動供給ポンプ８が駆動させられ、水槽１に酸を供給する。更に、流通手段２０の電動循環ポンプ２１が駆動させられ、酸と水とを混合して酸性水溶液Ｌに生成するとともに。水槽１内においてこの酸性水溶液Ｌを鉱石容器１０に流通させる。即ち、循環ポンプ２１は、水槽１内の酸性水溶液Ｌを鉱石容器１０の上側から吸引し、鉱石容器１０の下側に吐出する。これにより、鉱石容器１０内の鉱石Ｗの粉粒体Ｗａに酸性水溶液Ｌが接触せしめられ、鉱石Ｗの粉粒体Ｗａの壊変生成物が酸性水溶液Ｌに溶解させられ、酸性水溶液Ｌが温浴水Ｓとして生成される。この場合、図２に示すように、鉱石Ｗは鉱石容器１０の容量の約３分の１程度の容量が収納されている場合には、鉱石Ｗが鉱石容器１０内で撹拌させられて移動するので、酸性水溶液Ｌの鉱石Ｗに対する接触効率が向上させられ、比較的短持間に、鉱石Ｗの粉粒体Ｗａの壊変生成物が酸性水溶液Ｌに溶解させられ、所望の温浴水Ｓに生成される。
【００２９】
この状態においては、ｐＨ計測器６０により、水槽１内の酸性水溶液ＬのｐＨが計測されており、ｐＨ制御部７０がｐＨ計測器６０の測定結果に基づいて水槽１内のｐＨを所定のｐＨに制御している。この場合、ｐＨ制御部７０の酸供給部駆動制御手段７３において、ｐＨ計測器６０の計測値が記憶手段７１に記憶された所定のｐＨ値（ｐＨ＝４）以下のとき酸供給部６の供給ポンプ８の駆動を停止し、この供給ポンプ８の駆動停止後、ｐＨ値が上昇してｐＨ値（ｐＨ＝４）を超えたとき酸供給部６の供給ポンプ８の駆動を行なわせる。これにより、ｐＨが自動調整されるので、従来に比較して、調整作業が容易になり、調整作業効率が向上させられる。
【００３０】
また、この状態においては、放射線量測定器４０により、水槽１内の酸性水溶液Ｌの放射線量が計測されており、放射線量制御部５０が放射線量測定器４０の測定結果に基づいて水槽１内の放射線量を所定の放射線量に制御している。この場合、放射線量制御部５０の流通手段駆動制御手段５３において、放射線量測定器４０の計測値が記憶手段５１に記憶された所定の放射線量（３０マッヘ）以上のとき流通手段２０の循環ポンプ２１の駆動を停止し、この循環ポンプ２１の駆動停止後、放射線量が低下して下限の放射線量（２０マッヘ）を超えたとき循環ポンプ２１の駆動を行なわせる。これにより、放射線量が自動調整される。
【００３１】
次に、この水槽１で生成された温浴水Ｓを使用するときは、浴槽Ｂ近傍に設けた温浴水供給器３２を操作し、排出ポンプ制御盤３１にオンの指令信号を送出すると、排出ポンプ制御盤３１は排出ポンプ３０を駆動し水槽１内で生成された温浴水Ｓを排出する。これにより、浴槽Ｂ内に温浴水Ｓが供給される。この場合、水槽１内の水量が減るが、水量が減った分は、上記のように、フロート５の水位の上限検知により開閉バルブ４が開閉させられて、水供給部２から水が供給され、酸性水溶液ＬのｐＨ及び放射線量が調整される。この場合、排出ポンプ制御盤３１は、循環ポンプ２１のオン信号があったときは、排出ポンプ３０の駆動を不能にし、循環ポンプ２１のオフ信号があったときは、排出ポンプ３０の駆動を許容するインターロック機能を備えているので、もし、循環ポンプ２１の駆動をしている間であって温浴水Ｓが所定の放射線量範囲外の状態のときは、温浴水供給器３２からのオン信号があっても排出ポンプ３０の駆動が不能になり、温浴水Ｓが浴槽Ｂに供給されない。一方、循環ポンプ２１が停止している間であって温浴水Ｓが所定の放射線量範囲内の状態のときは排出ポンプ３０の駆動を許容され、温浴水供給器３２からのオン信号により温浴水Ｓが浴槽Ｂに供給される。そのため、浴槽Ｂには所定の放射線量の温浴水Ｓが供給されるので、人体に適正な温浴水Ｓが提供される。浴槽Ｂには、水道の蛇口（図示せず）からの水が供給されるようにし、適宜温度調整を行なってよい。
【００３２】
尚、上記実施の形態において、水槽１内あるいは水槽１から浴槽Ｂにいたる経路に温度調整可能なヒータを設けて浴槽Ｂ内に所定温度の温浴水Ｓが供給されるように制御しても良い。また、流通手段２０は上記のものに限定されず、従来のように鉱石容器１０内で撹拌するタイプのものであってもよく適宜変更して差し支えない。
【図面の簡単な説明】
【００３３】
【図１】本発明の実施の形態に係る温浴水生成装置を示す図である。
【図２】本発明の実施の形態に係る温浴水生成装置の鉱石容器の構成を示す断面図である。
【図３】本発明の実施の形態に係る温浴水生成装置の放射線量制御部の構成を示すブロック図である。
【図４】本発明の実施の形態に係る温浴水生成装置のｐH制御部の構成を示すブロック図である。
【図５】従来の温浴水生成装置の一例を示す図である。
【符号の説明】
【００３４】
Ｓ  温浴水
Ｗ  鉱石
Ｗａ  粉粒体
Ｌ  酸性水溶液
１  水槽
２  水供給部
６  酸供給部
１０  鉱石容器
２０  流通手段
２１  循環ポンプ
３０  排出ポンプ
Ｂ  浴槽
３１  排出ポンプ制御盤
３２  温浴水供給器
４０  放射線量測定器
５０  放射線量制御部
５１  入力手段
５２  記憶手段
５３  流通手段駆動制御手段
５４  インターロック手段
６０  ｐＨ計測器
７０  ｐＨ制御部
７１  入力手段
７２  記憶手段
７３  酸供給部駆動制御手段
【図１】
2007117269.tif 000003
【図２】
2007117269.tif 000004
【図３】
2007117269.tif 000005
【図４】
2007117269.tif 000006
【図５】
2007117269.tif 000007